(57)【要約】【課題】本発明は読取効率が良好で、かつ、インプリント動作時の操作性・信頼性の良好な画像読取装置を提供する。【解決手段】画像読取装置１は、原稿トレイ２１上に載置されている複数枚の原稿を１枚ずつ分離して給紙して読取位置Ｂ、Ｃに搬送し、ＣＣＤ１４、２８で当該原稿の画像を読み取り、また、インプリントユニット３１で読み取りの完了を示すインプリント情報を原稿へ印字するインプリント動作を行い、読み取った原稿の画像データをＤＲＡＭに一旦記憶した後、外部装置に転送する際に、ＤＲＡＭに原稿１枚分の画像データを記憶するのに十分な空き容量があると、原稿搬送速度の変更及び停止を行うことなく読取動作を継続させ、所定の動作中断要因が発生すると、読取中の原稿があり、かつ、読取動作が可能であると、当該読取中の原稿を全て読み取った後、原稿の搬送を停止させる。【選択図】          図１
2004304245.tif 000002
【特許請求の範囲】
【請求項１】
インタフェースを介して外部装置に接続され、載置されている複数枚の原稿を１枚ずつ分離して給紙する原稿給紙手段と、当該原稿給紙手段から給紙される原稿を読取位置へ搬送する原稿搬送手段と、当該原稿搬送手段により前記読取位置に搬送された原稿の画像を読み取る読取手段と、当該読取手段の読み取った原稿の画像データを記憶する記憶手段と、前記読取手段で読み取りを行った原稿に読み取りが完了した旨の所定のインプリント情報を印字するインプリント手段と、前記各部を制御して、前記原稿給紙手段に前記原稿を給紙させて前記原稿搬送手段に搬送させ前記読取手段に当該原稿を読み取らせ、また、前記インプリント手段に当該原稿へのインプリント動作を行わせ、当該読取手段の読み取った原稿の画像データを前記記憶手段に一旦記憶させた後、前記インタフェースを介して前記外部装置に転送する制御手段と、を備えた画像読取装置において、前記制御手段は、前記記憶手段に前記原稿１枚分の画像データを記憶するのに十分な空き容量があると、前記原稿搬送手段による前記原稿搬送速度の変更及び停止を行うことなく前記読取手段による読取動作を継続させ、所定の動作中断要因が発生すると、前記読取手段による読取中の原稿があり、かつ、読取動作が可能であると、当該読取中の原稿を全て読み取った後、前記原稿搬送手段を停止させることを特徴とする画像読取装置。
【請求項２】
前記制御手段は、前記動作中断要因が発生した際に、前記インプリント手段によるインプリント動作中であり、当該インプリント動作が可能であるときには、当該インプリント動作を完了させ、かつ、前記読取手段による当該原稿の画像の読み取りを完了させた後、前記原稿搬送手段を停止させることを特徴とする請求項１記載の画像読取装置。
【請求項３】
前記制御手段は、前記原稿搬送手段を停止させた後、前記インプリント済の原稿の画像データを全て前記外部装置に転送することを特徴とする請求項１または請求項２記載の画像読取装置。
【請求項４】
前記制御手段は、前記動作中断要因が前記外部装置からの中断要求であり、前記読取手段による読取動作を停止させた際に、インプリント済の原稿の画像データが前記記憶手段に残っていると、インプリント済の原稿の画像データが残っている旨を当該外部装置に通知することを特徴とする請求項１から請求項３のいずれかに記載の画像読取装置。
【請求項５】
前記制御手段は、前記動作中断要因が前記画像読取装置のエラー発生による中断要因であって、読取動作の継続が不可能であり、当該動作中断の際に、インプリント済の原稿の画像データが前記記憶手段に残っていると、当該記憶手段内の画像データを全て前記外部装置に転送した後、当該外部装置にエラーが発生した旨を通知することを特徴とする請求項１から請求項３のいずれかに記載の画像読取装置。
【請求項６】
前記制御手段は、前記動作中断要因が前記画像読取装置のエラー発生による中断要因であって、読取動作の継続が不可能であり、当該動作中断の際に、インプリント済であるが、画像の読み取りの完了していない原稿があると、当該原稿の枚数を前記外部装置に通知することを特徴とする請求項５記載の画像読取装置。
【請求項７】
前記画像読取装置は、所定の表示手段を備え、前記制御手段は、前記動作中断要因が前記画像読取装置のエラー発生による中断要因であって、読取動作の継続が不可能であり、当該動作中断の際に、インプリント済であるが、画像の読み取りの完了していない原稿があると、当該原稿の枚数を前記表示手段に表示することを特徴とする請求項５または請求項６記載の画像読取装置。
【発明の詳細な説明】
【０００１】
【発明の属する技術分野】
本発明は、画像読取装置に関し、詳細には、読取効率が良好で、かつ、インプリント動作時の操作性・信頼性の良好な画像読取装置に関する。
【０００２】
【従来の技術】
【特許文献１】
特開２０００−１８４１２５号公報
【特許文献２】
特開２０００−１６０８８５号公報
近年、コンピュータの普及に伴って、電子ファイリングシステムが広く利用されるようになり、電子ファイリングシステムの画像入力装置（画像読取装置）として、イメージスキャナが利用されている。
【０００３】
画像読取装置においては、大量の原稿を効率的に読み取るために、従来から複数枚載置された原稿を１枚ずつ画像読取装置の読取部に給紙するＡＤＦ（Ａｕｔｏ  Ｄｏｃｕｍｅｎｔ  Ｆｉｅｄｅｒ）が用いられている。
【０００４】
また、画像読取装置では、読み取った原稿の画像データを装置外に転送する場合に、受け側の処理時間や接続インタフェースの転送時間等の外部要因によって所定の時間内に画像が転送できないと、読み取った画像データが失われることとなるため、従来から装置内部にバッファメモリを設けて、読み取った画像データを一次バッファリングすることが行われている。
【０００５】
そして、従来の画像読取装置は、このバッファメモリの空き容量が原稿１ページ分の画像データを記憶する容量以下であると、ＡＤＦの原稿搬送動作を、読取位置の前の所定位置にスルーダウンして、原稿の搬送を一旦停止させ、バッファメモリの空き容量が１ページ分になった段階で、再びスルーアップして、読取速度になった状態で読取位置に原稿を搬送し、原稿の読み取りを行うようになっている。
【０００６】
このような従来の画像読取装置では、読取動作が停止すると、原稿の搬送を停止するとともに読取動作を停止させ、読み取った画像データを全て出力している（特許文献１参照）。
【０００７】
ところが、バッファメモリの容量が少ないと、上述のように、原稿の搬送速度を下げて搬送停止し、その後搬送速度を上げて読み取りを行う必要があり、読取効率が低下する。
【０００８】
この場合、バッファメモリを複数ページ分設けると、外部転送速度の速い場合に、原稿の搬送を停止させずに読取動作を行うことができ、読取効率を向上させることができる。
【０００９】
そして、従来、複数ページ分のバッファメモリを備えた画像読取装置にあっては、外部装置からの読取要求をトリガとして読み取りを実施するのではなく、画像読取装置が自立的に読み取る、いわゆる先読みを行う（特許文献２等参照）。
【００１０】
このように画像読取装置で先読みを行って、読み取った画像データを外部装置に転送すると、外部装置では、リアルタイムに読取画像枚数を把握することができず、読取エラー等で読取動作が中断すると、読取済のデータが何枚分あって、総数で何枚取得可能であるかが分からない。
【００１１】
そこで、従来、画像読取装置においては、小型のプリンタを備え、当該小型プリンタで、原稿の読取が完了したことを原稿にマーキングしたり、原稿自体に連番等の文字列をインプリントすることが行われている。
【００１２】
【発明が解決しようとする課題】
しかしながら、このような従来のインプリントを行う画像読取装置にあっては、小型のプリンタで、単に読み取りの完了した原稿にマーキングしたり、連続番号等の文字列をインプリント情報としてインプリントしていたため、先読みを行う画像読取装置では、インプリントが効果的に活用されないという問題があった。
【００１３】
すなわち、先読みを行い、かつ、インプリントを行う画像読取装置にあっては、読み取りが中断すると、先読みしたインプリント済の原稿の画像データが破棄され、かつ、原稿にはインプリント出力が残ってしまい、外部装置に転送済の画像データと原稿のインプリント出力との相関関係が崩れ、インプリントが効果的に活用されない。
【００１４】
また、画像読取装置は、複数ページ分の原稿を先読みしているため、外部装置では、途中まで受け取った画像データを破棄するが、画像読取装置では、排紙してしまった原稿が何まであるかを把握することができない。その結果、読取済の画像と原稿とを照らし合わせないと、原稿に対応する画像データを取得されているのかを判断することができず、読取済の原稿を把握するために行っているインプリントの効果が活用されないという問題があった。
【００１５】
そこで、本発明は、読取効率が良好で、かつ、インプリント動作時の操作性・信頼性の良好な画像読取装置を提供することを目的としている。
【００１６】
具体的には、請求項１記載の発明は、制御手段の制御下で、載置されている複数枚の原稿を原稿給紙手段で１枚ずつ分離して給紙して、当該原稿を原稿搬送手段で読取手段の読取位置に搬送し、当該読取手段で当該原稿を読み取り、また、インプリント手段で読み取りの完了を示すインプリント情報を原稿へ印字するインプリント動作を行い、当該読取手段の読み取った原稿の画像データを記憶手段に一旦記憶した後、インタフェースを介して外部装置に転送するに際して、記憶手段に原稿１枚分の画像データを記憶するのに十分な空き容量があると、原稿搬送手段による原稿搬送速度の変更及び停止を行うことなく読取手段による読取動作を継続させ、所定の動作中断要因が発生すると、読取手段による読取中の原稿があり、かつ、読取動作が可能であると、当該読取中の原稿を全て読み取った後、原稿搬送手段を停止させることにより、読み取りの完了した画像データを無駄にすることなく利用できるようにして、再度の読み取りの手間を省き、読取効率を向上させつつ、操作性を向上させることのできる画像読取装置を提供することを目的としている。
【００１７】
請求項２記載の発明は、制御手段が、動作中断要因が発生した際に、インプリント手段によるインプリント動作中であり、当該インプリント動作が可能であるときには、当該インプリント動作を完了させ、かつ、読取手段による当該原稿の画像の読み取りを完了させた後、原稿搬送手段を停止させることにより、読み取りの完了した画像データを無駄にすることなく利用できるようにして、再度の読み取りの手間を省き、無意味なインプリント動作を防止して、原稿が汚れるのを防止するとともに、インプリントを効果的に活用できるようにして、読取効率を向上させつつ、操作性を向上させることのできる画像読取装置を提供することを目的としている。
【００１８】
請求項３記載の発明は、制御手段が、原稿搬送手段を停止させた後、インプリント済の原稿の画像データを全て外部装置に転送することにより、読み取りの完了した画像データを無駄にすることなく利用できるようにして、再度の読み取りの手間を省き、無意味なインプリント動作を防止して、原稿が汚れるのを防止するとともに、インプリントを効果的に活用できるようにして、読取効率を向上させつつ、操作性を向上させることのできる画像読取装置を提供することを目的としている。
【００１９】
請求項４記載の発明は、制御手段が、動作中断要因が外部装置からの中断要求であり、読取手段による読取動作を停止させた際に、インプリント済の原稿の画像データが記憶手段に残っていると、インプリント済の原稿の画像データが残っている旨を当該外部装置に通知することにより、読み取りの完了した画像データを無駄にすることなく利用できるようにして、再度の読み取りの手間を省き、無意味なインプリント動作を防止して、原稿が汚れるのを防止するとともに、インプリントを効果的に活用できるようにして、読取効率を向上させつつ、操作性を向上させることのできる画像読取装置を提供することを目的としている。
【００２０】
請求項５記載の発明は、制御手段が、動作中断要因が画像読取装置のエラー発生による中断要因であって、読取動作の継続が不可能であり、当該動作中断の際に、インプリント済の原稿の画像データが記憶手段に残っていると、当該記憶手段内の画像データを全て外部装置に転送した後、当該外部装置にエラーが発生した旨を通知することにより、インプリント済の原稿の画像データを無駄なく利用できるようにして、再度の読み取りの手間を省き、無意味なインプリント動作を防止して、原稿が汚れるのを防止するとともに、インプリントを効果的に活用できるようにして、読取効率を向上させつつ、操作性を向上させることのできる画像読取装置を提供することを目的としている。
【００２１】
請求項６記載の発明は、制御手段が、動作中断要因が画像読取装置のエラー発生による中断要因であって、読取動作の継続が不可能であり、当該動作中断の際に、インプリント済であるが、画像の読み取りの完了していない原稿があると、当該原稿の枚数を外部装置に通知することにより、外部装置に転送されてくる原稿枚数によって、インプリント済であるが画像データの転送されてきていない原稿枚数を容易に把握できるようにし、転送されてきている画像データと原稿とを照らし合わせる手間を省いて、より一層操作性を向上させることのできる画像読取装置を提供することを目的としている。
【００２２】
請求項７記載の発明は、制御手段が、動作中断要因が画像読取装置のエラー発生による中断要因であって、読取動作の継続が不可能であり、当該動作中断の際に、インプリント済であるが、画像の読み取りの完了していない原稿があると、当該原稿の枚数を表示手段に表示することにより、表示部への表示によって、インプリント済であるが画像データの転送されてきていない原稿枚数を容易に把握できるようにし、転送されてきている画像データと原稿とを照らし合わせる手間を省いて、より一層操作性を向上させることのできる画像読取装置を提供することを目的としている。
【００２３】
【課題を解決するための手段】
請求項１記載の発明の画像読取装置は、インタフェースを介して外部装置に接続され、載置されている複数枚の原稿を１枚ずつ分離して給紙する原稿給紙手段と、当該原稿給紙手段から給紙される原稿を読取位置へ搬送する原稿搬送手段と、当該原稿搬送手段により前記読取位置に搬送された原稿の画像を読み取る読取手段と、当該読取手段の読み取った原稿の画像データを記憶する記憶手段と、前記読取手段で読み取りを行った原稿に読み取りが完了した旨の所定のインプリント情報を印字するインプリント手段と、前記各部を制御して、前記原稿給紙手段に前記原稿を給紙させて前記原稿搬送手段に搬送させ前記読取手段に当該原稿を読み取らせ、また、前記インプリント手段に当該原稿へのインプリント動作を行わせ、当該読取手段の読み取った原稿の画像データを前記記憶手段に一旦記憶させた後、前記インタフェースを介して前記外部装置に転送する制御手段と、を備えた画像読取装置において、前記制御手段は、前記記憶手段に前記原稿１枚分の画像データを記憶するのに十分な空き容量があると、前記原稿搬送手段による前記原稿搬送速度の変更及び停止を行うことなく前記読取手段による読取動作を継続させ、所定の動作中断要因が発生すると、前記読取手段による読取中の原稿があり、かつ、読取動作が可能であると、当該読取中の原稿を全て読み取った後、前記原稿搬送手段を停止させることにより、上記目的を達成している。
【００２４】
上記構成によれば、制御手段の制御下で、載置されている複数枚の原稿を原稿給紙手段で１枚ずつ分離して給紙して、当該原稿を原稿搬送手段で読取手段の読取位置に搬送し、当該読取手段で当該原稿を読み取り、また、インプリント手段で読み取りの完了を示すインプリント情報を原稿へ印字するインプリント動作を行い、当該読取手段の読み取った原稿の画像データを記憶手段に一旦記憶した後、インタフェースを介して外部装置に転送するに際して、記憶手段に原稿１枚分の画像データを記憶するのに十分な空き容量があると、原稿搬送手段による原稿搬送速度の変更及び停止を行うことなく読取手段による読取動作を継続させ、所定の動作中断要因が発生すると、読取手段による読取中の原稿があり、かつ、読取動作が可能であると、当該読取中の原稿を全て読み取った後、原稿搬送手段を停止させるので、読み取りの完了した画像データを無駄にすることなく利用できるようにして、再度の読み取りの手間を省くことができ、読取効率を向上させることができるとともに、操作性を向上させることができる。
【００２５】
この場合、例えば、請求項２に記載するように、前記制御手段は、前記動作中断要因が発生した際に、前記インプリント手段によるインプリント動作中であり、当該インプリント動作が可能であるときには、当該インプリント動作を完了させ、かつ、前記読取手段による当該原稿の画像の読み取りを完了させた後、前記原稿搬送手段を停止させるものであってもよい。
【００２６】
上記構成によれば、制御手段が、動作中断要因が発生した際に、インプリント手段によるインプリント動作中であり、当該インプリント動作が可能であるときには、当該インプリント動作を完了させ、かつ、読取手段による当該原稿の画像の読み取りを完了させた後、原稿搬送手段を停止させるので、読み取りの完了した画像データを無駄にすることなく利用できるようにして、再度の読み取りの手間を省くことができ、無意味なインプリント動作を防止して、原稿が汚れるのを防止することができるとともに、インプリントを効果的に活用できるようにして、読取効率を向上させつつ、操作性を向上させることができる。
【００２７】
また、例えば、請求項３に記載するように、前記制御手段は、前記原稿搬送手段を停止させた後、前記インプリント済の原稿の画像データを全て前記外部装置に転送するものであってもよい。
【００２８】
上記構成によれば、制御手段が、原稿搬送手段を停止させた後、インプリント済の原稿の画像データを全て外部装置に転送するので、読み取りの完了した画像データを無駄にすることなく利用できるようにして、再度の読み取りの手間を省くことができ、無意味なインプリント動作を防止して、原稿が汚れるのを防止することができるとともに、インプリントを効果的に活用できるようにして、読取効率を向上させつつ、操作性を向上させることができる。
【００２９】
さらに、例えば、請求項４に記載するように、前記制御手段は、前記動作中断要因が前記外部装置からの中断要求であり、前記読取手段による読取動作を停止させた際に、インプリント済の原稿の画像データが前記記憶手段に残っていると、インプリント済の原稿の画像データが残っている旨を当該外部装置に通知するものであってもよい。
【００３０】
上記構成によれば、制御手段が、動作中断要因が外部装置からの中断要求であり、読取手段による読取動作を停止させた際に、インプリント済の原稿の画像データが記憶手段に残っていると、インプリント済の原稿の画像データが残っている旨を当該外部装置に通知するので、読み取りの完了した画像データを無駄にすることなく利用できるようにして、再度の読み取りの手間を省くことができ、無意味なインプリント動作を防止して、原稿が汚れるのを防止することができるとともに、インプリントを効果的に活用できるようにして、読取効率を向上させつつ、操作性を向上させることができる。
【００３１】
また、例えば、請求項５に記載するように、前記制御手段は、前記動作中断要因が前記画像読取装置のエラー発生による中断要因であって、読取動作の継続が不可能であり、当該動作中断の際に、インプリント済の原稿の画像データが前記記憶手段に残っていると、当該記憶手段内の画像データを全て前記外部装置に転送した後、当該外部装置にエラーが発生した旨を通知するものであってもよい。
【００３２】
上記構成によれば、制御手段が、動作中断要因が画像読取装置のエラー発生による中断要因であって、読取動作の継続が不可能であり、当該動作中断の際に、インプリント済の原稿の画像データが記憶手段に残っていると、当該記憶手段内の画像データを全て外部装置に転送した後、当該外部装置にエラーが発生した旨を通知するので、インプリント済の原稿の画像データを無駄なく利用できるようにして、再度の読み取りの手間を省くことができ、無意味なインプリント動作を防止して、原稿が汚れるのを防止することができるとともに、インプリントを効果的に活用できるようにして、読取効率を向上させつつ、操作性を向上させることができる。
【００３３】
さらに、例えば、請求項６に記載するように、前記制御手段は、前記動作中断要因が前記画像読取装置のエラー発生による中断要因であって、読取動作の継続が不可能であり、当該動作中断の際に、インプリント済であるが、画像の読み取りの完了していない原稿があると、当該原稿の枚数を前記外部装置に通知するものであってもよい。
【００３４】
上記構成によれば、制御手段が、動作中断要因が画像読取装置のエラー発生による中断要因であって、読取動作の継続が不可能であり、当該動作中断の際に、インプリント済であるが、画像の読み取りの完了していない原稿があると、当該原稿の枚数を外部装置に通知するので、外部装置に転送されてくる原稿枚数によって、インプリント済であるが画像データの転送されてきていない原稿枚数を容易に把握できるようにすることができ、転送されてきている画像データと原稿とを照らし合わせる手間を省いて、より一層操作性を向上させることができる。
【００３５】
また、例えば、請求項７に記載するように、前記画像読取装置は、所定の表示手段を備え、前記制御手段は、前記動作中断要因が前記画像読取装置のエラー発生による中断要因であって、読取動作の継続が不可能であり、当該動作中断の際に、インプリント済であるが、画像の読み取りの完了していない原稿があると、当該原稿の枚数を前記表示手段に表示するものであってもよい。
【００３６】
上記構成によれば、制御手段が、動作中断要因が画像読取装置のエラー発生による中断要因であって、読取動作の継続が不可能であり、当該動作中断の際に、インプリント済であるが、画像の読み取りの完了していない原稿があると、当該原稿の枚数を表示手段に表示するので、表示部への表示によって、インプリント済であるが画像データの転送されてきていない原稿枚数を容易に把握できるようにすることができ、転送されてきている画像データと原稿とを照らし合わせる手間を省いて、より一層操作性を向上させることができる。
【００３７】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００３８】
図１〜図６は、本発明の画像読取装置の一実施の形態を示す図であり、図１は、本発明の画像読取装置の一実施の形態を適用した画像読取装置１の正面概略構成図である。
【００３９】
図１において、画像読取装置１は、本体筐体２の上面部にコンタクトガラス３が配設されており、コンタクトガラス３の下方の本体筐体２の内部には、光源としての照明ランプ４と第１ミラー５、一体に構成された第２ミラー６と第３ミラー７、レンズ８、ＣＣＤ駆動ユニット（ＳＢＵ）９、走行体モータ１０及びシステムコントロールユニット（ＳＣＵ）１１、ＩＯＢ１２及びＲＣＵ１３等が配設されている。
【００４０】
照明ランプ４と第１ミラー５は、図示しない第１走行体に、第２ミラー６と第３ミラー７は、図示しない第２走行体に搭載されており、走行体モータ１０により駆動されて、副走査方向（図１のＡ方向）に移動される。
【００４１】
画像読取装置１は、コンタクトガラス３上にセットされた原稿（図示略）を読み取る際には、第１走行体と第２走行体を副走査方向に移動させながら、照明ランプ４からコンタクトガラス３上にセットされた原稿に光を照射し、原稿で反射された光を第１ミラー５で第２ミラー６方向に反射させ、さらに、第２ミラー６で第３ミラー７方向に反射させて、第３ミラー７でレンズ８方向に反射させる。画像読取装置１は、レンズ８に入射された光をＣＣＤ駆動ユニット９に集光して、ＣＣＤ駆動ユニット９に搭載されているＣＣＤ（Ｃｈａｒｇｅ  Ｃｏｕｐｌｅｄ  Ｄｅｖｉｃｅ  ）１４で入射光を光電変換して、画像信号を出力する。
【００４２】
また、画像読取装置１は、原稿領域外に白色基準板（図示略）が設けられており、原稿の読み取りに先立って白色基準板を読み取って、光学系ひずみ情報を含んだシェーディングデータを採集・保存する。
【００４３】
画像読取装置１は、ＡＤＦ（自動両面原稿搬送装置）２０が本体筐体２の上部に取り付けられており、ＡＤＦ２０は、原稿トレイ２１、ピックアップローラ２２、レジストローラ対２３、搬送ドラム２４、搬送ローラ２５、分離コロ２６、搬送ガイド板２７、密着イメージセンサ２８、白色ローラ２９、搬送ローラ対３０、インプリントユニット３１、排紙ローラ対３２及び排紙トレイ３３等を備えており、上記ピックアップローラ２２、搬送ドラム２４、搬送ローラ２５及び分離コロ２６の給紙機構（給紙手段）を給紙モータ７１（図２参照）で駆動し、また、白色ローラ２９、搬送ローラ対３０及び排紙ローラ対３２の搬送機構（搬送手段）を搬送モータ７２（図２参照）で駆動する。
【００４４】
本体筐体２の上部であって、上記搬送ドラム２４と対向する位置には、ＤＦ用原稿ガラス３５が配設されている。
【００４５】
画像読取装置１は、ＡＤＦ２０を使用して原稿を搬送して原稿の読み取りを行う場合には、原稿トレイ２１上に積載された複数枚の原稿を、ピックアップローラ２２で搬送ドラム２４に１枚ずつ送り出し、搬送ドラム２４と搬送ローラ２５により搬送ドラム２４とＤＦ用原稿ガラス３５との間の読取位置Ｂを経て、分離コロ２６により搬送ドラム２４から搬送ガイド板２７に送り出して、白色ローラ２９と密着イメージセンサ２８の間、搬送ローラ対３０、インプリントユニット３１及び排紙ローラ対３２へと順次搬送して、排紙トレイ３３上に排出する。
【００４６】
画像読取装置１は、ＡＤＦ２０を使用して原稿トレイ２１上に載置された片面原稿の第１面としての上面（表面）の画像の読み取りを行う場合には、第１走行体と第２走行体を読取位置Ｂで読み取りを行うために、読取位置Ｂに移動させて、搬送ドラム２４により当該搬送ドラム２４とＤＦ用原稿ガラス３５との間を搬送される原稿の表面の画像の読み取りを行う。この場合、照明ランプ４から搬送ドラム２４とＤＦ用原稿ガラス３５との間を搬送される原稿の表面に光を照射し、原稿で反射された光を第１ミラー５で第２ミラー６方向に反射させ、さらに、第２ミラー６で第３ミラー７方向に反射させて、第３ミラー７でレンズ８方向に反射させて、レンズ８で入射光をＣＣＤ駆動ユニット９に集光して、ＣＣＤ駆動ユニット９に搭載されているＣＣＤ１４で入射光を光電変換して、画像信号を出力する。
【００４７】
また、画像読取装置１は、ＡＤＦ２０を使用して原稿トレイ２１上に載置された両面原稿の画像の読み取りを行う場合には、搬送ドラム２４により搬送される原稿の表面の画像を上記片面原稿の場合と同様に読み取り、上面の読み取りの完了した原稿を搬送ガイド板２７で案内しつつ、白色ローラ２９と密着イメージセンサ２８の間に搬送して、原稿が読取位置Ｃを通過する際に、密着イメージセンサ２８で原稿の第２面としての下面（裏面）の画像を読み取る。
【００４８】
そして、密着イメージセンサ２８は、図示しないが、光源であるＬＥＤ、レンズ、センサ素子等で構成されており、密着イメージセンサ２８には、読取位置Ｃを通過する際に、読取位置Ｂで読み取られた原稿の反対の面（裏面）が読取位置Ｃを通過する。密着イメージセンサ２８は、通過する原稿の裏面に、ＬＥＤから光を照射し、その反射光を密着イメージセンサ２８上のレンズで集束して、密着イメージセンサ２８のセンサ素子に照射させて光電変換する。
【００４９】
上記第１走行体に搭載された照明ランプ４と第１ミラー５、第２走行体に搭載された第２ミラー６と第３ミラー７及びレンズ８とＣＣＤ１４、また、上記密着イメージセンサ２８は、読取手段として機能している。
【００５０】
この密着イメージセンサ２８の原稿を挟んだ対向部に、白色ローラ２９が設置されており、白色ローラ２９は、密着イメージセンサ２８による原稿読取時のシェーディング補正用白色部材として使用される。
【００５１】
搬送ローラ対３０と排紙ローラ対３２の間に、インプリントユニット３１が設置されており、インプリントユニット（インプリント手段）３１は、例えば、インクジェットヘッドからなる印字部と、印字部に供給するインクを収納するインクカートリッジとから構成されている。画像読取装置１は、原稿をインプリントユニット３１の印字部の真下を通過させて搬送し、当該原稿の搬送と連動させた速度で印字部からインクを噴出させて、原稿面にアルファベット文字や数字等のインプリント情報を印字する。
【００５２】
そして、画像読取装置１は、図２に示すようにブロック構成されており、上記ＣＣＤ駆動ユニット（ＳＢＵ）９、走行体モータ１０、ＳＣＵ１１、ＩＯＢ１２、ＲＣＵ１３、密着イメージセンサ２８、インプリントユニット（図２では、インプリンタと記載。）３１及び照明ランプ４であるＸｅランプを備えているとともに、本体側に、ネットワークコントローラ４１、オプションＩＰＵ４２、ＰＳＵ（電源ユニット）４３、ＡＣスイッチ４４、本体操作パネル４５、モータインターロックスイッチ４６、ランプレギュレータ４７、冷却ファン４８、ホームポジションセンサ４９及びネットワーク操作パネル５０等を備え、また、ＡＤＦ２０に、ＲＳＢＵ６１、ＡＤＵ６２、表示ＰＣＢ６３、搬送センサ６４、レジストセンサ６５、排紙センサ６６、原稿有無センサ６７、ＡＤＦリフトアップセンサ６８、トレイ上昇クラッチ６９、給紙クラッチ７０、給紙モータ７１及び搬送モータ７２等を備えている。
【００５３】
そして、ＳＣＵ１１は、ＣＰＵ（Ｃｅｎｔｒａｌ  Ｐｒｏｃｅｓｓｉｎｇ  Ｕｎｉｔ  ）８１、ＲＯＭ（Ｒｅａｄ  Ｏｎｌｙ  Ｍｅｍｏｒｙ）８２、ＲＡＭ（Ｒａｎｄｏｍ  Ａｃｃｅｓｓ  Ｍｅｍｏｒｙ）８３、ＣＰＵバス８４、ＳＣＳＩ（Ｓｍａｌｌ  Ｃｏｍｐｕｔｅｒ  Ｓｙｓｔｅｍ  Ｉｎｔｅｒｆａｃｅ  ）コントローラ８５、ＳｉＢＣ８６、ＤＲＡＭ（Ｄｙｎａｍｉｃ  Ｒａｎｄｏｍ  Ａｃｃｅｓｓ  Ｍｅｍｏｒｙ）８７及びＮＩＰＵ８８等を備えている。
【００５４】
画像読取装置１は、ＣＣＤ駆動ユニット９上のＣＣＤ１４に入射した原稿の反射光を、ＣＣＤ１４で光の強度に応じた電圧値を持つアナログ信号に変換し、このアナログ信号を、奇数ビットと偶数ビットに分かれて出力する。画像読取装置１は、ＣＣＤ駆動ユニット９上で、アナログ画像信号のアナログ処理回路（図示せず）暗電位部分を取り除いて、奇数ビットと偶数ビットを合成し、所定の振幅にゲイン調整した後、Ａ／Ｄコンバータに入力してデジタル信号化する。画像読取装置１は、デジタル化した画像信号を、ＳＣＵ１１上のＮＩＰＵ８８で、シェーディング補正、ガンマ補正、ＭＴＦ補正等を行った後、２値化して、ページ同期信号、ライン同期信号、画像クロックとともにビデオ信号として、コネクタ９０を介してオプションＩＰＵ４２へ出力する。オプションＩＰＵ４２へ出力されたビデオ信号は、オプションＩＰＵ４２内で所定の画像処理が行なわれ、再びＳＣＵ１１に入力される。
【００５５】
画像読取装置１は、オプションＩＰＵ４２から再びＳＣＵ１１に入力されたビデオ信号を、図示しないセレクタに入力し、このセレクタは、もう一方の入力がＮＩＰＵ８８から出力されたビデオ信号の入力となっていて、オプションＩＰＵ４２で画像処理するかしないかを選択できる構成となっている。画像読取装置１は、このセレクタから出力されたビデオ信号を、記憶手段であるＤＲＡＭ８７を管理するＳｉＢＣ８６に入力し、ＤＲＡＭ８７に蓄える。画像読取装置１は、ＤＲＡＭ８７に蓄えられた画像データを、インタフェースとしてのＳＣＳＩコントローラ８５またはネットワークコントローラ４１に送り、ＳＣＳＩコントローラ８５またはネットワークコントローラ４１からパーソナルコンピュータ等の外部装置へ画像データを転送する。画像読取装置１は、密着イメージセンサ２８で光電変換されたアナログ画像信号を、ＲＳＢＵ６１上でデジタル変換し、デジタル化した画像信号を、ＲＳＢＵ６１上でシェーディング補正を施した後、ＲＣＵ１３に送る。
【００５６】
ＲＣＵ１３は、ＤＲＡＭで構成される画像メモリと画像メモリを制御するＳｉＢＣで構成され、画像データを一旦画像メモリに蓄積した後、ＳＣＵ１１に転送する。画像読取装置１では、ＲＣＵ１３からＳＣＵ１１へ送られた画像データとＳＣＵ１１上のＳｉＢＣ８６から出力される画像データとを切り換え可能となっており、画像読取装置１は、いずれかの画像データを選択して、ＳＣＳＩコントローラ８５またはネットワークコントローラ４１へ転送する。
【００５７】
ＳＣＵ１１は、ＣＰＵ（制御手段）８１が、ＳＣＳＩコントローラ８５またはネットワークコントローラ４１を制御して、パーソナルコンピュータ等の外部装置との通信を行ない、画像データを外部装置に転送する。また、ＣＰＵ８１は、ステッピングモーターである走行体モータ１０、給紙モータ７１、搬送モータ７２のタイミング制御も行なっている。ＡＤＵ６２は、ＡＤＦ２０に用いる電装部品の電力供給を中継する機能を有し、ＳＣＵ１１上のＣＰＵ８１に接続されている入力ポートは、ＩＯＢ１２を介して本体操作パネル４５に接続されている。本体操作パネル４５上には、図示しないスタートスイッチとアボートスイッチ及び表示手段としてのディスプレイ、例えば、ＬＣＤ（Ｌｉｑｕｉｄ  Ｃｒｙｓｔａｌ  Ｄｉｓｐｌａｙ）パネルが実装されており、それぞれのスイッチが押下されると、入力ポートを介してＣＰＵ８１がスイッチがＯＮされたことを検出する。本体操作パネル４５は、画像読取装置１の動作状態等を表示出力する。
【００５８】
そして、画像読取装置１は、原稿の読取タイミングと読み取った画像データの転送タイミングを制御するために、ＡＤＦ２０に、上記搬送センサ６４、レジストセンサ６５、排紙センサ６６、原稿有無センサ６７及びＡＤＦリフトアップセンサ６８等が配設されている。
【００５９】
原稿有無センサ６７は、ＡＤＦ２０の原稿トレイ２１上に原稿があるか否かを検出し、搬送センサ６４は、ピックアップローラ２２で原稿トレイ２１上から搬送ドラム２４と搬送ローラ２５の間に送り出されて搬送ドラム２４と搬送ローラ２５により搬送される原稿を検出する。レジストセンサ６５は、搬送ローラ２５と搬送ドラム２４により読取待機位置に搬送された原稿を検出し、排紙センサ６６は、排紙ローラ対３２により排紙トレイ３３上に排出される原稿を検出する。ＡＤＦリフトアップセンサ６８は、原稿の積載されている原稿トレイ２１をＡＤＦ２０の給紙口に持ち上げたり、原稿を原稿トレイ２１にセットするためにトレイ位置を下げたりするために用いるトレイ位置を検出する。また、上記搬送センサ６４、レジストセンサ６５及び排紙センサ６６は、ＡＤＦ２０内における原稿送りジャムの検出をも行なう。
【００６０】
次に、本実施の形態の作用を説明する。まず、外部装置からの読取要求に応じて、ＡＤＦ２０を使用してインプリントを行いつつ片面（表面）を動作中断を行うことなく連続読取する場合の動作について、図３に基づいて説明する。
【００６１】
画像読取装置１は、図３に示すように、外部装置から読取要求があるのを待ち（ステップＳ１０１）、外部装置から読取要求があると、原稿トレイ２１に原稿がセットされているかチェックする（ステップＳ１０２）。
【００６２】
画像読取装置１は、ステップＳ１０２で、原稿トレイ２１に原稿がセットされていないときには、外部装置に原稿がセットされていない旨のエラー通知を行って（ステップＳ１０３）、ステップＳ１０１に戻って、上記同様に処理する。
【００６３】
画像読取装置１は、ステップＳ１０２で、原稿トレイ２１に原稿がセットされているときには、給紙モータ７１及び搬送モータ７２を駆動させて、原稿トレイ２１から１枚の原稿の搬送を開始するとともに、インプリントカウンタと読取カウンタをクリアして「０」に設定し（ステップＳ１０４）、原稿が所定の読取速度に達すると、読取位置Ｂよりも前の予め設定されている所定の判定位置に原稿が搬送されたかチェックする（ステップＳ１０５）。
【００６４】
画像読取装置１は、ステップＳ１０５で、原稿が判定位置に搬送されてくると、バッファメモリとしてのＤＲＡＭ８７（図３では、画像メモリと表示する。）に原稿の画像データを記憶するだけの空き容量があるかチェックし（ステップＳ１０６）、ＤＲＡＭ８７に十分な空き容量があると、ステップＳ１１０〜Ｓ１１３のインプリント処理と、ステップＳ１２０〜Ｓ１２３の原稿読取処理を並列動作させる。
【００６５】
ステップＳ１０６で、ＤＲＡＭ８７に十分な空き容量がないときには、画像読取装置１は、給紙モータ７１、搬送モータ７２をスルーダウンして停止し（ステップＳ１０７）、原稿を判定位置と読取位置の間の位置に停止させる。そして、画像読取装置１は、ＤＲＡＭ８７に原稿の画像データを記憶するだけの空き容量が空くのを待ち（ステップＳ１０８）、ＤＲＡＭ８７に十分な空き容量ができると、給紙モータ７１、搬送モータ７２を再起動して、原稿の搬送を再開して、ステップＳ１１０〜Ｓ１１３のインプリント処理とステップＳ１２０〜Ｓ１２３の原稿読取処理を並列動作させる。なお、ステップＳ１０７〜Ｓ１０９の処理は、１枚目の原稿の読み取りでは発生しないが、２枚目以降の原稿の読み取りにおいて、読取済の原稿の画像データの外部装置への転送が終了しておらず、ＤＲＡＭ８７に残っている場合に限って発生する場合の処理である。
【００６６】
そして、画像読取装置１は、ＤＲＡＭ８７に十分な空き容量があると、ステップＳ１１０〜Ｓ１１３のインプリント処理とステップＳ１２０〜Ｓ１２３の原稿読取処理を並列動作処理するが、このインプリント処理と原稿読取処理では、給紙モータ７１及び搬送ローラ７２を減速または停止することなく、原稿の搬送を継続させる。
【００６７】
画像読取装置１は、インプリント処理では、インプリント位置、すなわち、インプリントユニット３１による印字位置に原稿が搬送されてくるのを待ち（ステップＳ１１０）、原稿がインプリント位置に搬送されてくると、インプリントユニット３１を駆動させてインプリントを開始するとともに、インプリントカウンタを「１」だけインクリメントして（ステップＳ１１１）、全てのインプリント情報を印字したかチェックする（ステップＳ１１２）。すなわち、インプリントユニット３１は、搬送される原稿に当該原稿の搬送速度に対応した速度でインプリント情報を印字する。
【００６８】
画像読取装置１は、ステップＳ１１２で、全てのインプリント情報の印字が完了すると、インプリント動作を終了する（ステップＳ１１３）。
【００６９】
また、画像読取装置１は、画像読取処理では、原稿の先端が読取位置Ｂに搬送されてくるのを待ち（ステップＳ１２０）、原稿の先端が読取位置Ｂに搬送されてくると、ＣＣＤ駆動ユニット９を駆動させてＣＣＤ１４から出力される画像データの処理を開始するとともに、読取カウンタを「１」だけインクリメントして（ステップＳ１２１）、原稿後端が読取位置Ｂを通過したかチェックする（ステップＳ１２２）。
【００７０】
画像読取装置１は、この読み取った原稿の画像データを一旦ＤＲＡＭ８７に保存し、この時点で、ＤＲＡＭ８７に保存した画像データの外部装置への転送を開始する。
【００７１】
ステップＳ１２２で、原稿の後端が読取位置Ｂを通過すると、画像読取装置１は、１枚の原稿の読み取りを終了する（ステップＳ１２３）。
【００７２】
そして、画像読取装置１は、インプリント処理と原稿読取処理のいずれも終了すると、次原稿があるかチェックし（ステップＳ１３０）、次原稿があるときには、ステップＳ１０５に戻って、上記同様に、判定位置に次原稿が搬送されてくるのを待って、ＤＲＡＭ８７の空き容量をチェックする（ステップＳ１０６）。
【００７３】
このとき、ＤＲＡＭ８７に次原稿の画像データを記憶するのに十分な空き容量があると、画像読取装置１は、上記同様に、ステップＳ１１０〜Ｓ１１３のインプリント処理とステップＳ１２０〜Ｓ１２３の原稿読取処理を並列動作処理し、ＤＲＡＭ８７に次原稿の画像データを記憶するのに十分な空き容量がないときには、給紙モータ７１、搬送モータ７２をスルーダウンして停止して、原稿を判定位置と読取位置Ｂの間の位置に停止させて、ＤＲＡＭ８７に原稿の画像データを保存するだけの空き容量ができるのを待った後、給紙モータ７１、搬送モータ７２を再起動して、原稿の搬送を再開して（ステップＳ１０７〜Ｓ１０９）、ステップＳ１１０〜Ｓ１１３のインプリント処理とステップＳ１２０〜Ｓ１２３の原稿読取処理を並列動作処理する。
【００７４】
そして、画像読取装置１は、図３には示していないが、搬送中の原稿の後端がＡＤＦ２０内に搬送されて、次原稿を給紙可能となった時点で、原稿トレイ２１上に原稿があると、次原稿を給紙する動作を行う。すなわち、画像読取装置１は、上記ステップＳ１０５〜Ｓ１３０までのステップ処理を原稿トレイ２１上にセットされている原稿枚数分だけ並列動作する。
【００７５】
そして、このように並列動作しているときに、ステップＳ１０７である１枚の原稿に対して、給紙モータ７１、搬送モータ７２を停止させて原稿の搬送を停止すると、全ての原稿の搬送が停止するため、インプリント動作中や原稿読取動作中の原稿については、インプリント動作及び原稿読取動作を一時的に停止する動作処理を行う。
【００７６】
また、画像読取装置１は、上述のように、ステップＳ１２１で原稿の読み取りを開始し、読み取った原稿の画像データを一旦ＤＲＡＭ８７に記憶して、外部装置に転送するが、１枚の原稿の画像データを全て外部装置に転送すると、図３には示していないが、上記読取カウンタとインプリントカウンタのカウント値を「１」だけ減算する処理（デクリメント処理）を、１枚の原稿の画像データの外部装置への転送処理とインプリント処理が完了する毎に行う。
【００７７】
そして、画像読取装置１は、ステップＳ１３０で、次原稿がないときには、給紙モータ７１と搬送モータ７２を停止させ（ステップＳ１３１）、読取カウンタのカウント値が「０」であるかチェックする（ステップＳ１３２）。
【００７８】
画像読取装置１は、ステップＳ１３２で、読取カウンタのカウント値が「０」でないときには、上述のように、外部装置への画像データの転送が完了した時点で、読取カウンタのカウント値をデクリメントするため、転送の完了していない画像データがＤＲＡＭ８７に残っていると判断して、読取カウンタのカウント値が「０」になるのを待つ（ステップＳ１３２）。
【００７９】
画像読取装置１は、読取カウンタのカウント値が「０」になると、読取可能な原稿がない旨の通知を外部装置に行って（ステップＳ１３３）、ステップＳ１０１に戻って、外部装置からの読取要求があるのを待つ（ステップＳ１０１）。
【００８０】
そして、画像読取装置１は、外部装置からの読取要求に応じて上記図３に示した処理を行うが、この処理を外部装置に画像データを転送するインタフェース、すなわち、ＳＣＳＩコントローラ８５またはネットワークコントローラ４１においては、図４に示すように処理する。なお、以下の説明では、ＳＣＳＩコントローラ８５とネットワークコントローラ４１を総称して、インタフェースという。
【００８１】
すなわち、インタフェースは、図４に示すように、外部装置からの読取要求を受信するのを待って（ステップＳ２０１）、外部装置からの読取要求があると、動作停止中であるかチェックして（ステップＳ２０２）、動作が停止中であると、動作を開始して（ステップＳ２０３）、読取カウンタが「０」よりも大きいか、すなわち、原稿の読み取りを行って、未転送の画像データがＤＲＡＭ８７に残っているかチェックする（ステップＳ２０４）。インタフェースは、ステップＳ２０２で、動作が停止中でないときには、そのままステップＳ２０４に移行して、読取カウンタが「０」よりも大きいかチェックする（ステップＳ２０４）。
【００８２】
ステップＳ２０４で、読取カウンタが「０」であるときには、インタフェースは、転送すべき画像データがＤＲＡＭ８７に存在しないため、読取カウンタが「０」よりも大きくなるまで待つ（ステップＳ２０４）。
【００８３】
ステップＳ２０４で、読取カウンタが「０」よりも大きくなると、転送すべき画像データがＤＲＡＭ８７に存在するため、インタフェースは、１ページ分の最初の画像データの転送の開始を行って、当該画像データの外部装置への転送及び転送の終了を行う（ステップＳ２０５〜Ｓ２０７）。
【００８４】
そして、インタフェースは、このステップＳ２０６において、外部装置からの動作中断要求を受け付け、動作中断要求があると、後述する図５に示す動作中断処理を行う。
【００８５】
インタフェースは、原稿１枚分の画像データの転送を完了すると、読取カウンタ及びインプリントカウンタのカウント値を「１」だけデクリメントして（ステップＳ２０８）、ステップＳ２０１に戻って、上記同様に処理する。
【００８６】
インタフェースは、この場合、インプリントカウンタについては、インプリント開始時に加算（インクリメント）されているが、読取終了後にインプリント動作を行う場合には、インプリントカウンタがインクリメントされていないため、画像読取装置１が、読取終了→外部装置に画像データ転送終了→インプリント開始という処理順序で処理を行う場合には、ステップＳ２０８でのカウンタの減算（デクリメント）処理では、インプリントカウンタの値が負の値になる。
【００８７】
そして、上記外部装置からの読取要求に応じて原稿の読み取りと転送を行う処理において、動作中断が発生する可能性のある処理ステップは、ステップＳ１０８、ステップＳ１１０、ステップＳ１１２、ステップＳ１２０、ステップＳ１２２、ステップＳ１３２であり、これらの動作中断が発生した場合の処理について、以下、図４及び図５に基づいて説明する。なお、以下の説明で、動作中断要因が発生する可能性のあるステップで、動作中断が発生すると、当該動作中断の発生したステップから分岐して、中断処理を行う。
【００８８】
まず、外部装置からの中断要求によって動作を中断する場合について説明するが、外部装置からの中断要求を受信するのは、上述のように、図４のステップＳ２０６においてであり、図４のステップＳ２０６から分岐して、図５の中断処理を行う。
【００８９】
画像読取装置１は、図５に示すように、外部装置から読み取り中断要求を受信すると、まず、給紙モータ７１及び搬送ローラ７２を停止させて、次原稿の給紙を停止させ（ステップＳ３０１）、読取カウンタのカウント値が「０」であり、かつ、インプリントカウンタのカウント値が「０」であるかチェックする（ステップＳ３０２）。
【００９０】
画像読取装置１は、ステップＳ３０２で、読取カウンタのカウント値が「０」であり、かつ、インプリントカウンタのカウント値が「０」であると、ＤＲＡＭ８７に画像データがなく、かつ、原稿の搬送を停止している限り将来にわたって画像データが入力されることがないと判断して、新たな読取動作及びインプリント動作を行うことなく、画像読取装置１内の原稿を排出して（ステップＳ３０３）、外部装置に中断完了を通知して、中断処理を終了する（ステップＳ３０４）。この読取動作を中断している状態は、図３のステップＳ１０１の通常待機状態である。
【００９１】
画像読取装置１は、ステップＳ３０２で、読取カウンタとインプリントカウンタのカウント値のうち少なくともいずれかが「０」でないときには、図３のステップＳ１１０〜Ｓ１１３の読取動作処理とステップＳ１２０〜Ｓ１２３のインプリント動作処理のうち少なくともいずれかの動作を開始済であり、ＤＲＡＭ８７に既に画像データが保存されているか、将来保存される状態であって、画像データの転送が可能であると判断して、外部装置に未受信データがある旨を通知し、新たな原稿の給紙を行わずに動作を継続する（ステップＳ３０５）。外部装置側では、この未受信データがある旨の通知により、画像データが画像読取装置１に残っていて、受信する必要があることを認識することができる。
【００９２】
画像読取装置１は、外部装置からのデータ転送要求を待ち、外部装置からデータ転送要求があると、当該データ転送要求を受け付け（ステップＳ３０７）、読取カウンタのカウント値が「０」よりも大きくなるのを待って、すなわち、ＤＲＡＭ８７に転送可能な画像データが保存されて、外部装置へ転送可能な状態になるのを待つ（ステップＳ３０７）。
【００９３】
画像読取装置１は、読取カウンタのカウント値が「０」より大きくなると、ＤＲＡＭ８７内の１ページ分の画像データを外部装置に転送し（ステップＳ３０８）、１ページ分の画像データの転送が完了すると、読取カウンタ及びインプリントカウンタのカウント値を「１」だけ減算（デクリメント）して（ステップＳ３０９）、ステップＳ３０２に戻って、読取カウンタのカウント値が「０」であり、かつ、インプリントカウンタのカウント値が「０」であるかチェックする（ステップＳ３０２）。
【００９４】
ステップＳ３０２で、読取カウンタとインプリントカウンタのカウント値のうち少なくともいずれかが「０」でないときには、画像読取装置１は、ＤＲＡＭ８７に既に画像データが保存されているか、将来保存される状態であって、画像データの転送が可能であると判断して、上記同様に、画像データの転送を行う（ステップＳ３０５〜Ｓ３０９）。
【００９５】
ステップＳ３０２で、読取カウンタのカウント値が「０」であり、かつ、インプリントカウンタのカウント値が「０」であると、ＤＲＡＭ８７に画像データがなく、かつ、原稿の搬送を停止している限り将来にわたって画像データが入力されることがないと判断して、新たな読取動作及びインプリント動作を行うことなく、装置内の原稿を排出して（ステップＳ３０３）、外部装置に中断完了を通知して、中断処理を終了する（ステップＳ３０４）。
【００９６】
そして、画像読取装置１は、原稿ジャム等のエラーが発生して、給紙モータ７１や搬送モータ７２の動作を継続できないとき（読取動作の継続が不可能なとき）には、図６に示す動作中断処理を行う。この動作中断処理は、図４のステップＳ２０６から分岐して、図６の中断処理を行う。
【００９７】
すなわち、画像読取装置１は、図４のステップＳ２０６で、原稿ジャム等の動作家俗不能のエラーが発生すると、図６に示すように、給紙モータ７１及び搬送ローラ７２を停止させて、原稿の給紙を停止させ（ステップＳ４０１）、読取カウンタのカウント値が「０」であり、かつ、インプリントカウンタのカウント値が「０」であるかチェックする（ステップＳ４０２）。
【００９８】
画像読取装置１は、ステップＳ４０２で、読取カウンタのカウント値が「０」であり、かつ、インプリントカウンタのカウント値が「０」であると、ＤＲＡＭ８７に画像データがなく、かつ、インプリント済であり、データ転送していない原稿がないと判断して、外部装置にエラー発生を通知して、中断処理を終了する（ステップＳ４０３）。
【００９９】
画像読取装置１は、ステップＳ４０２で、読取カウンタとインプリントカウンタのカウント値のうち少なくともいずれかが「０」でないときには、図３のステップＳ１１０〜Ｓ１１３の読取動作処理とステップＳ１２０〜Ｓ１２３のインプリント動作処理のうち少なくともいずれかが動作中であるか、原稿の読み取り動作が終了した後、インプリント動作が終わっていない状態で動作中断した状態であると判断して、読取カウンタのカウント値が「０」であるかチェックする（ステップＳ４０４）。
【０１００】
画像読取装置１は、ステップＳ４０４で、読取カウンタのカウント値が「０」のときには、外部装置にエラーが発生した旨とインプリント済原稿枚数を通知し（ステップＳ４０５）、本体操作パネル４５のＬＣＤパネルにインプリントカウンタの絶対値の値（インプリント済原稿枚数：インプリント済であるが画像の読み取りの完了していない原稿枚数）を表示出力して、中断処理を終了する（ステップＳ４０６）。外部装置側では、インプリント済の原稿枚数をディスプレイ等に表示して通知することで、画像データを取得することができず、かつ、インプリント済となっている原稿の枚数を使用者に把握させることができ、また、使用者は、画像データを取得することができず、かつ、インプリント済となっている原稿の枚数を本体操作パネル４５のＬＣＤパネルの表示によって確認することができる。
【０１０１】
ステップＳ４０４で、読取カウンタのカウント値が「０」でないときには、画像読取装置１は、画像データがＤＲＡＭ８７に残っていると判断して、外部装置からの読取要求を待って、読取要求があると、当該読取要求を受け付けて（ステップＳ４０７）、１ページ分の画像データを外部装置に転送する（ステップＳ４０８）。
【０１０２】
画像読取装置１は、１ページ分の画像データの外部装置への転送を行うと、読取カウンタのカウント値及びインプリントカウンタのカウント値を「１」だけ減算（デクリメント）して（ステップＳ４０９）、ステップＳ４０２に戻り、上記同様に処理する（ステップＳ４０２〜ステップＳ４０９）。
【０１０３】
そして、画像読取装置１は、ステップＳ４０３の外部装置へのエラー発生通知またはステップＳ４０６のインプリント済原稿枚数の表示を行って、中断処理を終了すると、エラー復帰待ち状態となり、使用者によってエラー復帰処理が行われると、図３のステップＳ１０１の通常待機状態となる。
【０１０４】
このように、本実施の形態の画像読取装置１は、原稿トレイ２１上に載置されている複数枚の原稿を１枚ずつ分離して給紙して、読取位置に搬送し、ＣＣＤ１４、２８で当該原稿の画像を読み取り、また、インプリントユニット３１で読み取りの完了を示すインプリント情報を原稿へ印字するインプリント動作を行い、読み取った原稿の画像データをＤＲＡＭ８７に一旦記憶した後、外部装置に転送する際に、ＤＲＡＭ８７に原稿１枚分の画像データを記憶するのに十分な空き容量があると、原稿搬送速度の変更及び停止を行うことなく読取動作を継続させ、所定の動作中断要因が発生すると、読取中の原稿があり、かつ、読取動作が可能であると、当該読取中の原稿を全て読み取った後、原稿の搬送を停止させている。
【０１０５】
したがって、読み取りの完了した画像データを無駄にすることなく利用できるようにして、再度の読み取りの手間を省くことができ、読取効率を向上させることができるとともに、操作性を向上させることができる。
【０１０６】
また、本実施の形態の画像読取装置１は、動作中断要因が発生した際に、インプリントユニット３１によるインプリント動作中であり、当該インプリント動作が可能であるときには、当該インプリント動作を完了させ、かつ、当該原稿の画像の読み取りを完了させた後、原稿の搬送を停止させている。
【０１０７】
したがって、読み取りの完了した画像データを無駄にすることなく利用できるようにして、再度の読み取りの手間を省くことができ、無意味なインプリント動作を防止して、原稿が汚れるのを防止することができるとともに、インプリントを効果的に活用できるようにして、読取効率を向上させつつ、操作性を向上させることができる。
【０１０８】
さらに、本実施の形態の画像読取装置１は、原稿の搬送を停止させた後、インプリント済の原稿の画像データを全て外部装置に転送している。
【０１０９】
したがって、読み取りの完了した画像データを無駄にすることなく利用できるようにして、再度の読み取りの手間を省くことができ、無意味なインプリント動作を防止して、原稿が汚れるのを防止することができるとともに、インプリントを効果的に活用できるようにして、読取効率を向上させつつ、操作性を向上させることができる。
【０１１０】
また、本実施の形態の画像読取装置１は、動作中断要因が外部装置からの中断要求であり、読取動作を停止させた際に、インプリント済の原稿の画像データがＤＲＡＭ８７に残っていると、インプリント済の原稿の画像データが残っている旨を当該外部装置に通知している。
【０１１１】
したがって、読み取りの完了した画像データを無駄にすることなく利用できるようにして、再度の読み取りの手間を省くことができ、無意味なインプリント動作を防止して、原稿が汚れるのを防止することができるとともに、インプリントを効果的に活用できるようにして、読取効率を向上させつつ、操作性を向上させることができる。
【０１１２】
さらに、本実施の形態の画像読取装置１は、動作中断要因が画像読取装置１のエラー発生による中断要因であって、読取動作の継続が不可能であり、当該動作中断の際に、インプリント済の原稿の画像データがＤＲＡＭ８７に残っていると、ＤＲＡＭ８７内の画像データを全て外部装置に転送した後、当該外部装置にエラーが発生した旨を通知している。
【０１１３】
したがって、インプリント済の原稿の画像データを無駄なく利用できるようにして、再度の読み取りの手間を省くことができ、無意味なインプリント動作を防止して、原稿が汚れるのを防止することができるとともに、インプリントを効果的に活用できるようにして、読取効率を向上させつつ、操作性を向上させることができる。
【０１１４】
また、本実施の形態の画像読取装置１は、動作中断要因が画像読取装置１のエラー発生による中断要因であって、読取動作の継続が不可能であり、当該動作中断の際に、インプリント済であるが、画像の読み取りの完了していない原稿があると、当該原稿の枚数を外部装置に通知している。
【０１１５】
したがって、外部装置に転送されてくる原稿枚数によって、インプリント済であるが画像データの転送されてきていない原稿枚数を容易に把握できるようにすることができ、転送されてきている画像データと原稿とを照らし合わせる手間を省いて、より一層操作性を向上させることができる。
【０１１６】
さらに、本実施の形態の画像読取装置１は、動作中断要因が画像読取装置１のエラー発生による中断要因であって、読取動作の継続が不可能であり、当該動作中断の際に、インプリント済であるが、画像の読み取りの完了していない原稿があると、当該原稿の枚数を本体操作パネル４５のＬＣＤパネルに表示している。
【０１１７】
したがって、本体操作パネル４５のＬＣＤパネルへの表示によって、インプリント済であるが画像データの転送されてきていない原稿枚数を容易に把握できるようにすることができ、転送されてきている画像データと原稿とを照らし合わせる手間を省いて、より一層操作性を向上させることができる。
【０１１８】
なお、上記実施の形態においては、インプリントユニット３１は、原稿読取位置Ｂ、Ｃよりも原稿搬送方向下流側に配設されている場合について説明したが、原稿読取位置Ｂ、Ｃ、特に、原稿読取位置Ｃよりも原稿搬送方向上流側に配設されていても、同様に適用することができる。
【０１１９】
また、上記実施の形態においては、画像読取装置１が外部装置からの読取要求及びデータ転送要求をトリガとして、読取動作及び画像データの転送を行うＰＵＬＬ型の画像読取装置である場合について説明したが、画像読取装置１のスイッチ等の操作によって起動して、読取動作及び画像データの外部装置への転送を行うＰＵＳＨ型の画像読取装置に対しても同様に適用することができる。
【０１２０】
以上、本発明者によってなされた発明を好適な実施の形態に基づき具体的に説明したが、本発明は上記のものに限定されるものではなく、その要旨を逸脱しない範囲で種々変更可能であることはいうまでもない。
【０１２１】
【発明の効果】
請求項１記載の発明の画像読取装置によれば、制御手段の制御下で、載置されている複数枚の原稿を原稿給紙手段で１枚ずつ分離して給紙して、当該原稿を原稿搬送手段で読取手段の読取位置に搬送し、当該読取手段で当該原稿を読み取り、また、インプリント手段で読み取りの完了を示すインプリント情報を原稿へ印字するインプリント動作を行い、当該読取手段の読み取った原稿の画像データを記憶手段に一旦記憶した後、インタフェースを介して外部装置に転送するに際して、記憶手段に原稿１枚分の画像データを記憶するのに十分な空き容量があると、原稿搬送手段による原稿搬送速度の変更及び停止を行うことなく読取手段による読取動作を継続させ、所定の動作中断要因が発生すると、読取手段による読取中の原稿があり、かつ、読取動作が可能であると、当該読取中の原稿を全て読み取った後、原稿搬送手段を停止させるので、読み取りの完了した画像データを無駄にすることなく利用できるようにして、再度の読み取りの手間を省くことができ、読取効率を向上させることができるとともに、操作性を向上させることができる。
【０１２２】
請求項２記載の発明の画像読取装置によれば、制御手段が、動作中断要因が発生した際に、インプリント手段によるインプリント動作中であり、当該インプリント動作が可能であるときには、当該インプリント動作を完了させ、かつ、読取手段による当該原稿の画像の読み取りを完了させた後、原稿搬送手段を停止させるので、読み取りの完了した画像データを無駄にすることなく利用できるようにして、再度の読み取りの手間を省くことができ、無意味なインプリント動作を防止して、原稿が汚れるのを防止することができるとともに、インプリントを効果的に活用できるようにして、読取効率を向上させつつ、操作性を向上させることができる。
【０１２３】
請求項３記載の発明の画像読取装置によれば、制御手段が、原稿搬送手段を停止させた後、インプリント済の原稿の画像データを全て外部装置に転送するので、読み取りの完了した画像データを無駄にすることなく利用できるようにして、再度の読み取りの手間を省くことができ、無意味なインプリント動作を防止して、原稿が汚れるのを防止することができるとともに、インプリントを効果的に活用できるようにして、読取効率を向上させつつ、操作性を向上させることができる。
【０１２４】
請求項４記載の発明の画像読取装置によれば、制御手段が、動作中断要因が外部装置からの中断要求であり、読取手段による読取動作を停止させた際に、インプリント済の原稿の画像データが記憶手段に残っていると、インプリント済の原稿の画像データが残っている旨を当該外部装置に通知するので、読み取りの完了した画像データを無駄にすることなく利用できるようにして、再度の読み取りの手間を省くことができ、無意味なインプリント動作を防止して、原稿が汚れるのを防止することができるとともに、インプリントを効果的に活用できるようにして、読取効率を向上させつつ、操作性を向上させることができる。
【０１２５】
請求項５記載の発明の画像読取装置によれば、制御手段が、動作中断要因が画像読取装置のエラー発生による中断要因であって、読取動作の継続が不可能であり、当該動作中断の際に、インプリント済の原稿の画像データが記憶手段に残っていると、当該記憶手段内の画像データを全て外部装置に転送した後、当該外部装置にエラーが発生した旨を通知するので、インプリント済の原稿の画像データを無駄なく利用できるようにして、再度の読み取りの手間を省くことができ、無意味なインプリント動作を防止して、原稿が汚れるのを防止することができるとともに、インプリントを効果的に活用できるようにして、読取効率を向上させつつ、操作性を向上させることができる。
【０１２６】
請求項６記載の発明の画像読取装置によれば、制御手段が、動作中断要因が画像読取装置のエラー発生による中断要因であって、読取動作の継続が不可能であり、当該動作中断の際に、インプリント済であるが、画像の読み取りの完了していない原稿があると、当該原稿の枚数を外部装置に通知するので、外部装置に転送されてくる原稿枚数によって、インプリント済であるが画像データの転送されてきていない原稿枚数を容易に把握できるようにすることができ、転送されてきている画像データと原稿とを照らし合わせる手間を省いて、より一層操作性を向上させることができる。
【０１２７】
請求項７記載の発明の画像読取装置によれば、制御手段が、動作中断要因が画像読取装置のエラー発生による中断要因であって、読取動作の継続が不可能であり、当該動作中断の際に、インプリント済であるが、画像の読み取りの完了していない原稿があると、当該原稿の枚数を表示手段に表示するので、表示部への表示によって、インプリント済であるが画像データの転送されてきていない原稿枚数を容易に把握できるようにすることができ、転送されてきている画像データと原稿とを照らし合わせる手間を省いて、より一層操作性を向上させることができる。
【図面の簡単な説明】
【図１】本発明の画像読取装置の一実施の形態を適用した画像読取装置の正面概略構成図。
【図２】図１の画像読取装置の全体回路ブロック構成図。
【図３】図１の画像読取装置による動作中断の発生しない場合の読取・転送処理を示すフローチャート。
【図４】図１の画像読取装置による外部装置から動作中断要求に基づく中断処理を示すフローチャート。
【図５】図１の画像読取装置による動作中断の発生しない場合のインタフェース側から見た読取・転送処理を示すフローチャート。
【図６】図１の画像読取装置による当該画像読取装置でのエラー発生に基づく動作中断処理を示すフローチャート。
【符号の説明】
１  画像読取装置
２  本体筐体
３  コンタクトガラス
４  照明ランプ
５  第１ミラー
６  第２ミラー
７  第３ミラー
８  レンズ
９  ＣＣＤ駆動ユニット（ＳＢＵ）
１０  走行体モータ
１１  システムコントロールユニット（ＳＣＵ）
１２  ＩＯＢ
１３  ＲＣＵ
２０  ＡＤＦ
２１  原稿トレイ
２２  ピックアップローラ
２３  レジストローラ対
２４  搬送ドラム
２５  搬送ローラ
２６  分離コロ
２７  搬送ガイド板
２８  密着イメージセンサ
２９  白色ローラ
３０  搬送ローラ対
３１  インプリントユニット
３２  排紙ローラ対
３３  排紙トレイ
３４  ＤＦ用原稿ガラス
４１  ネットワークコントローラ
４２  オプションＩＰＵ
４３  ＰＳＵ（電源ユニット）
４４  ＡＣスイッチ
４５  本体操作パネル
４６  モータインターロックスイッチ
４７  ランプレギュレータ
４８  冷却ファン
４９  ホームポジションセンサ
５０  ネットワーク操作パネル
６１  ＲＳＢＵ
６２  ＡＤＵ
６３  表示ＰＣＢ
６４  搬送センサ
６５  レジストセンサ
６６  排紙センサ
６７  原稿有無センサ
６８  ＡＤＦリフトアップセンサ
６９  トレイ上昇クラッチ
７０  給紙クラッチ
７１  給紙モータ
７２  搬送モータ
８１  ＣＰＵ
８２  ＲＯＭ
８３  ＲＡＭ
８４  ＣＰＵバス
８５  ＳＣＳＩコントローラ
８６  ＳｉＢＣ
８７  ＤＲＡＭ
８８  ＮＩＰＵ
【図１】
2004304245.tif 000003
【図２】
2004304245.tif 000004
【図３】
2004304245.tif 000005
【図４】
2004304245.tif 000006
【図５】
2004304245.tif 000007
【図６】
2004304245.tif 000008